(57)【要約】【課題】指掛け機能の有り無しを簡単に切り換えることができ、また、コストや使用材料を抑制することができるポンプ式注出器を提供する。【解決手段】本発明のポンプ式注出器は、容器Ｃの口部に保持されるベースキャップ１と、容器Ｃの内容液を汲み上げるポンプ３と、押し下げ及び復元の繰り返しによりポンプ３を駆動させ汲み上げた内容液をノズル１４ｂの先端開口１４ｃから吐出させるノズルヘッド１４とを備え、ベースキャップ１に揺動可能に支持されるレバー２を設け、レバー２は、引き起こしによってベースキャップ１に押し当たりノズル１４ｂに対向する姿勢でレバー２の揺動変位を停止させる当接部２ａを備えることを特徴とする。【選択図】図３
2015145250.tif 000002
【特許請求の範囲】
【請求項１】
容器の口部に保持されるベースキャップと、該ベースキャップにより該口部に吊下げ保持され該容器の内容液を汲み上げるポンプと、押し下げ及び復元の繰り返しにより該ポンプを駆動させ汲み上げた内容液をノズルの先端開口から吐出させるノズルヘッドとを備えるポンプ式注出器において、
前記ベースキャップに揺動可能に支持されるレバーを設け、
該レバーは、引き起こしによって該ベースキャップに押し当たり前記ノズルに対向する姿勢で該レバーの揺動変位を停止させる当接部を備えるポンプ式注出器。
【請求項２】
前記レバーは、前記ベースキャップに対しヒンジを介して一体に連結する請求項１に記載のポンプ式注出器。
【請求項３】
前記レバーは、前記ベースキャップの係合部に係止されて該レバーを前記ノズルに対向させる姿勢で保持する被係合部を有する請求項１又は２に記載のポンプ式注出器。
【発明の詳細な説明】
【技術分野】
【０００１】
本発明は、容器に充填した内容液を外界に向けて吐出させるポンプ式注出器に関するものである。
【背景技術】
【０００２】
シャンプー、ボディソープ、ハンドソープ、洗顔料等の内容液を充填した容器においては、容器の口部に吊下げ保持され、ノズルヘッドを押し下げ及び復元させることでノズルの先端開口から内容液を吐出させるポンプ式注出器を装備したものが多用されている。
【０００３】
この種のポンプ式注出器を備える容器、特に据え置きタイプの容器では、一方の手でノズルヘッドを押し下げるとともに他方の手で内容液を受け取るような、両手で操作を行う場合が多いものの、使用状況によっては片手で操作する場合もあるため、この場合でも簡単に吐出できるものが望まれている。
【０００４】
このような注出器として、例えば特許文献１には、手動式押下げポンプを容器本体の口筒部に固定する組み付けキャップに、ポンプの押し下げ操作において指掛けの機能を発揮する補助部材を装着できるようにしたポンプ式注出器が示されている。この補助部材には外鍔状となる係止板片が設けられているため、片方の手の親指でノズルヘッドを押し下げるに当たって、人差し指等を係止板片の下面に当て付けることができる。これによって内容液を受け取る掌の位置を安定させることができるので、内容液を掌の上に確実に吐出させることができる。また、親指と人差し指等とでノズルヘッドと係止板片とを挟持するようにして操作できるため、ノズルヘッドに効果的に押圧力を付与することができる。
【先行技術文献】
【特許文献】
【０００５】
【特許文献１】特開２０１０−１５５６２３号公報
【発明の概要】
【発明が解決しようとする課題】
【０００６】
ところで特許文献１のポンプ式注出器では、補助部材を持たない従来の注出器に対して部品点数が増えることになるため、コストや使用材料が増加するという点で課題が残されている。また、補助部材を取り付けていると係止板片が常時突出することになるため、指掛けの機能のない従来の注出器での操作に慣れた人には、係止板片が邪魔になることも想定される。この場合、補助部材を外せば従来の容器と同じように使用することができるものの、外した補助部材の置き場を確保する必要がある他、片手で操作しようとするたびに補助部材を取り付ける必要が生じて手間がかかることになる。
【０００７】
本発明は、このような問題点を解決することを課題とするものであり、その目的は、片手で操作するための指掛け機能を設けることに伴って増加した、コストや使用材料が抑制でき、また、指掛け機能の有り無しを使用状況に応じて簡単に切り換えることができる、新たなポンプ式注出器を提供することにある。
【課題を解決するための手段】
【０００８】
本発明は、容器の口部に保持されるベースキャップと、該ベースキャップにより該口部に吊下げ保持され該容器の内容液を汲み上げるポンプと、押し下げ及び復元の繰り返しにより該ポンプを駆動させ汲み上げた内容液をノズルの先端開口から吐出させるノズルヘッドとを備えるポンプ式注出器において、
前記ベースキャップに揺動可能に支持されるレバーを設け、
該レバーは、引き起こしによって該ベースキャップに押し当たり前記ノズルに対向する姿勢で該レバーの揺動変位を停止させる当接部を備えるポンプ式注出器である。
【０００９】
前記レバーは、前記ベースキャップに対しヒンジを介して一体に連結することが好ましい。
【００１０】
前記レバーは、前記ベースキャップの係合部に係止されて該レバーを前記ノズルに対向させる姿勢で保持する被係合部を有することが好ましい。
【発明の効果】
【００１１】
本発明のポンプ式注出器は、ベースキャップに揺動可能に支持されるレバーを備えるものであり、このレバーは、引き起こしによってベースキャップに押し当たりノズルに対向する姿勢でレバーの揺動変位を停止させる当接部を備えるものであるので、引き起こしたレバーを片手で操作する際の指掛けとして機能させることができる。このため、指掛け機能を必要としない場合はレバーを倒した状態で使用し、片手で操作する時のように指掛け機能を必要とする場合はレバーを引き起こして使用する等、使用状況に応じて指掛け機能の有り無しを簡単に切り換えることができる。
【００１２】
レバーを、ベースキャップに対してヒンジを介して一体に連結する場合は、指掛け機能を持たせたこれまでの注出器に対してパーツ数を削減することができるので、コストや使用材料を抑制することが可能になる。
【００１３】
レバーに、ベースキャップの係合部に係止させることでこのレバーをノズルに対向させる姿勢で保持する被係合部を設ける場合は、片手で操作しようとするたびにレバーを引き上げる必要がなくなるため、使い勝手が良くなる。
【図面の簡単な説明】
【００１４】
【図１】本発明に従うポンプ式注出器の一実施形態を、容器の口部に装着した状態で示す断面図である。
【図２】図１に示すポンプ式注出器を容器から取り外して示す、（ａ）は平面図であり、（ｂ）は下面図である。
【図３】図１の状態からレバーを引き上げた状態で示す断面図である。
【図４】図３に示すポンプ式注出器を容器から取り外して示す、（ａ）は平面図であり、（ｂ）は下面図である。
【発明を実施するための形態】
【００１５】
以下、図面を参照して、本発明であるポンプ式注出器の一実施形態を詳細に説明する。なお、本願明細書、特許請求の範囲、及び要約書において「上」方向、「下」方向とは、ポンプ式注出器を容器に装着して実際に使用する状態での向きを示す。また、「前」方向とは、ノズルが指向する向き（ノズルの根元に対して先端開口が位置する向き）であり（図１の左側）、「後」方向とは、その反対方向（図１の右側）である。
【００１６】
図１、図２において、符号１は、容器Ｃの口部に保持されるベースキャップである。ベースキャップ１は、中央部から周縁部に向けて僅かに下向きに傾斜する円板状の天面壁１ａと、天面壁１ａの縁部より垂下される円筒状の外壁１ｂを有していて、外壁１ｂの内側に設けたネジ部を容器Ｃの口部に設けたネジ部にねじ込むことで着脱自在に保持される。なお、ベースキャップ１を容器Ｃに保持するには、アンダーカット等、従来知られた他の係合手段を用いてもよい。天面壁１ａは、その中央を貫く貫通孔１ｃを備えるとともに、貫通孔１ｃを取り囲んで起立する筒状壁１ｄを備えている。筒状壁１ｄの上方には、径方向外側に向けて突出する凸部１ｅが設けられている。また、天面壁１ａと外壁１ｂとの連結部において、その前方には、後述するレバーを保持するための係合部１ｆが設けられている。本実施形態での係合部１ｆは、爪状に形成されている。
【００１７】
またベースキャップ１は、このベースキャップ１に対して揺動可能に支持されるレバー２を備えている。本実施形態のレバー２は板状に形成されていて、係合部１ｆの近傍に設けられたヒンジｈを介して、ベースキャップ１に一体に連結している。なお、例えばベースキャップ１に円形の孔を有する軸受け部を設け、レバー２にこの軸受け部に対応する軸部を設けるようにして揺動可能としてもよい。レバー２の上端には、図３、図４に示すように揺動変位させた際、レバー２が横向きになる姿勢（後述するノズルに対向する姿勢）になるところで係合部１ｆの上部に当接する当接部２ａが設けられている。また当接部２ａの近傍には、係合部１ｆに係止される被係合部２ｂが設けられている。本実施形態の被係合部２ｂは、爪状となる係合部１ｆに対応して爪状をなしている。なお、係合部１ｆ及び被係合部２ｂとしては、例えば何れか一方を凸部とし、他方を凹部とするような、従来知られた他の手段を採用することも可能である。また、レバー２の下端には、図１に示すように外壁１ｂに向けて突出する突起２ｃが設けられている。突起２ｃと外壁１ｂとは、比較的小さな力で破断することができる弱化部２ｄで一体に連結されている。
【００１８】
符号３は、ベースキャップ１によって容器Ｃの口部に吊下げ保持され、容器Ｃに充填した内容液を汲み上げるポンプである。本実施形態のポンプ３は、小径筒体４ａと大径筒体４ｂとを直列状に配置した形態をなすシリンダー４に、内容液用ピストン５、ポペット６、ステム７、スプリング８、ボール弁９、ジェットリング１０、空気用ピストン１１、逆止弁１２を組み込んだものであり、ステム７の押し下げ及び復帰によって、内容液と空気とをそれぞれ個別に吸引、加圧した後、これらを合流させて圧送するものである。シリンダー４の上方には径方向外側に延在するフランジ４ｃが設けられていて、容器Ｃに垂下保持されるに当たっては、このフランジ４ｃの下面側にパッキンＰを設け、容器Ｃの口部との間でパッキンＰを挟み込むようにしている。
【００１９】
また、ジェットリング１０の内側には、ポンプ３から圧送された内容液及び空気を発泡させるメッシュリング１３が配されている。本実施形態のメッシュリング１３は、リング状となる本体部の一端部にメッシュが取り付けられたものであり、総計２個のメッシュリング１３を、それぞれのメッシュが外側を向くように（メッシュを設けていない側が合わせ目となるように）して取り付けている。
【００２０】
また、ジェットリング１０の上部には、ノズルヘッド１４が設けられている。ノズルヘッド１４には、ジェットリング１０に嵌合保持される内側筒状部１４ａが設けられている。またノズルヘッド１４には、内側筒状部１４ａにつながるとともに横向きに延在するノズル１４ｂが設けられていて、ノズル１４ｂの先端には、内容液の吐出口となる先端開口１４ｃが形成されている。また、内側筒状部１４ａの径方向外側には、外側筒状部１４ｄが設けられていて、外側筒状部１４ｄの下端には、リング部材１５が嵌合保持されている。またリング部材１５には、ベースキャップ１の凸部１ｅに向けて突出してノズルヘッド１４の下方から水等が浸入することを防止する凸部１５ａが設けられている。
【００２１】
符号１６は、ノズルヘッド１４の不用意な押し下げを防止するストッパーである。詳細な図は省略するが、本実施形態のストッパー１６は、筒状となる側壁の一部を軸線に沿って切り欠いた形状をなす保持部と、この保持部の切り欠きとは反対側から突出する摘み部とを備えるものである。そして、ベースキャップ１の天面壁１ａとリング部材１５との相互間に保持部を差し込んでそのまま押し込むことで、筒状壁１ｄに装着することができる。なお、ストッパー１６を取り外すには、摘み部に手を掛けて筒状壁１ｄから引き抜けばよい。
【００２２】
このようなポンプ式注出器から容器Ｃに充填した内容液を吐出するに当たり、指掛け機能を必要としない場合（例えば両手で操作する場合）は、図１に示すようにレバー２を倒した状態にしておけば、レバー２が邪魔になることがない。
【００２３】
一方、指掛け機能を必要とする場合（例えば片手で操作する場合）は、図３に示すように弱化部２ｄを破断しつつレバー２を引き上げて、ベースキャップ１の係合部１ｆに、レバー２の被係合部２ｂを係止させる。これによりレバー２は、ノズル１４ｂに対向する姿勢で保持される。そして、掌を上に向けるとともに、親指をノズルヘッド１４の上面に、また人差し指等をレバー２の下面に当て付ける。これによって内容液を受け取る掌の位置を安定させることができるので、内容液を確実に受け取ることができる。また、ノズルヘッド１４を押し下げるに当たって、人差し指等のレバー２からの外れが突起２ｃによって有効に防止できる。なお、例えば図３に仮想線で示すように、容器Ｃに対してノズルヘッド１４を回転させてノズル１４ｂを後ろ向きに指向させれば、両手で操作する際にもレバー２が邪魔になることがない。
【００２４】
本発明に従うポンプ式注出器は、本実施形態に限定されるものではなく、特許請求の範囲に従う範囲で種々の変更が可能である。例えば、ポンプは上述した態様のものに限られず、従来知られた他の態様のポンプを用いることもできる。また、所望する内容液の性状に応じて、上述したメッシュリングの個数や配置、またこれを設けるか否かについても選択することができる。また、係合部と被係合部との係合力は、使用者の要望に応じたものを適宜採用することができる。例えば、指掛け機能をほぼ毎回必要とする場合には、係り代を大きくした係合力の高いものを採用し、指掛け機能の有り無しを切り換える頻度が多い場合には、係り代を小さくした係合力の低いものを採用すればよい。また、例えば指掛け機能がない状態（レバーを倒した状態）が優先される場合には、係合部及び被係合部を省略することも可能である。また、レバーとベースキャップの外壁とを連結する弱化部を省略してもよい。
【産業上の利用可能性】
【００２５】
本発明のポンプ式注出器によれば、使用状況に応じて指掛け機能の有り無しを簡単に切り換えることができるので使い勝手が良く、また指掛け機能を持たせたこれまでの注出器に対してコストや使用材料を抑制することが可能になる、新規のポンプ式注出器を提供することができる。
【符号の説明】
【００２６】
１  ベースキャップ
１ａ  天面壁
１ｂ  外壁
１ｃ  貫通孔
１ｄ  筒状壁
１ｅ  凸部
１ｆ  係合部
２  レバー
２ａ  当接部
２ｂ  被係合部
２ｃ  突起
２ｄ  弱化部
３  ポンプ
４  シリンダー
４ａ  小径筒体
４ｂ  大径筒体
４ｃ  フランジ
５  内容液用ピストン
６  ポペット
７  ステム
８  スプリング
９  ボール弁
１０  ジェットリング
１１  空気用ピストン
１２  逆止弁
１３  メッシュリング
１４  ノズルヘッド
１４ａ  内側筒状部
１４ｂ  ノズル
１４ｃ  先端開口
１４ｄ  外側筒状部
１５  リング部材
１５ａ  凸部
１６  ストッパー
Ｃ  容器
ｈ  ヒンジ
Ｐ  パッキン
【図１】
2015145250.tif 000003
【図２】
2015145250.tif 000004
【図３】
2015145250.tif 000005
【図４】
2015145250.tif 000006